(57)【特許請求の範囲】
【請求項１】
ユーザが送受信するデータの重要度を判定する重要度判定装置であって、
データを送受信する自己のクライアントモジュールとデータを送受信する他のクライアントモジュールからデータ重要度を判定するためのデータを受信する受信手段と、
該受信したデータをサービスごとに分類する分類手段と、
該分類したデータについて、その重要度を判定できるように加工する加工手段と、
該加工したデータを属性ごとに階層化したデータと参照カウンタとを要素とするツリー状のデータを保存する保存手段と、
前記保存手段に保存するデータについて、予め必要な属性値を演算する演算手段と、
各サービスごとに、一定期間保存されたデータに基づいてデータの重要度を判定する判定手段と、
前記加工したデータを前記保存手段に保存して、データの更新を行う保存データ更新手段と、
を備え、
前記判定手段は、ｋ−匿名性、ｌ−多様性判定処理手段からなり、
前記ツリー状のデータが、ａ）入力データの１レコード中のｎｏｎ−ｓｅｎｓｉｔｉｖｅデータ（キー）のリストと、ｂ）入力データの１レコード中のｓｅｎｓｉｔｉｖｅデータを属性毎にそれぞれ格納するツリーのリストと、ｃ）入力データの１レコードを属性毎にそれぞれ格納するツリーのリストと、で構成され、ａ）およびｂ）のリストは、追加されたｑ＊（レコードの集まりのうち、ｎｏｎ−ｓｅｎｓｉｔｉｖｅデータの数が同一のグループ）のｋ（ｋ−匿名性の値）および最小のｋ、ｌ（ｌ−多様性の値）、（ｃ、ｌ）−Ｄｉｖｅｒｓｉｔｙ（ｃ；ｒ１〜ｒｍのうち、一番大きな値と他の値の合計値との比率）のｒ１〜ｒｍ（各グループについて、ｓｅｎｓｉｔｉｖｅデータが同一である個数）の情報を保持し、ｃ）のリストは、評価ポイントのＮ（全レコード数）、ｎｊ（ある属性のレコード数）の情報を保持するとともに、同じデータ（キー）に対しては参照カウンタの増減により追加および削除を行い、さらに、要素数カウンタを有し、要素の増減に同期して要素数カウンタの増減も行い、前記判定手段は、判定の際に、前記ツリー状のデータを用いることを特徴とする重要度判定装置。
【請求項２】
前記加工手段が一方向性関数を用いて、データの加工を行うことを特徴とする請求項１に記載の重要度判定装置。
【請求項３】
前記判定手段が、匿名性を評価することによりデータの重要度を判定することを特徴とする請求項１に記載の重要度判定装置。
【請求項４】
前記判定手段が、データ内の属性の種類に関する評価値によりデータの重要度を判定することを特徴とする請求項１に記載の重要度判定装置。
【請求項５】
前記判定手段が、データ量の差分に関する評価値によりデータの重要度を判定することを特徴とする請求項１に記載の重要度判定装置。
【請求項６】
取得手段と、変換手段と、検索手段と、判定手段と、送信手段と、更新手段とを備え、ユーザが送受信するデータの重要度を判定する重要度判定方法であって、
前記取得手段が、通信路を流れるデータを取得する第１のステップと、
前記変換手段が、データを前処理により重要度の判定ができるように変換する第２のステップと、
検索手段が、予め属性値が演算され、属性ごとに階層化したデータと参照カウンタとを要素とするツリー状のデータと該受信したデータの属性を比較し、判定に必要なパラメータを検索する第３のステップと、
前記判定手段が、各サービスごとに、一定期間保存されたデータに基づいてデータの重要度を判定する第４のステップと、
前記送信手段が、該判定結果をユーザに送信する第５のステップと、
前記更新手段が、前記変換されたデータを保存し、データを更新する第６のステップと、
を備え、
前記第４のステップの判定処理は、ｋ−匿名性、ｌ−多様性判定処理からなり、
前記ツリー状のデータが、ａ）入力データの１レコード中のｎｏｎ−ｓｅｎｓｉｔｉｖｅデータ（キー）のリストと、ｂ）入力データの１レコード中のｓｅｎｓｉｔｉｖｅデータを属性毎にそれぞれ格納するツリーのリストと、ｃ）入力データの１レコードを属性毎にそれぞれ格納するツリーのリストと、で構成され、ａ）およびｂ）のリストは、追加されたｑ＊（レコードの集まりのうち、ｎｏｎ−ｓｅｎｓｉｔｉｖｅデータの数が同一のグループ）のｋ（ｋ−匿名性の値）および最小のｋ、ｌ（ｌ−多様性の値）、（ｃ、ｌ）−Ｄｉｖｅｒｓｉｔｙ（ｃ；ｒ１〜ｒｍのうち、一番大きな値と他の値の合計値との比率）のｒ１〜ｒｍ（各グループについて、ｓｅｎｓｉｔｉｖｅデータが同一である個数）の情報を保持し、ｃ）のリストは、評価ポイントのＮ（全レコード数）、ｎｊ（ある属性のレコード数）の情報を保持するとともに、同じデータ（キー）に対しては参照カウンタの増減により追加および削除を行い、さらに、要素数カウンタを有し、要素の増減に同期して要素数カウンタの増減も行い、前記第４のステップにおいて、判定の際に、前記ツリー状のデータを用いることを特徴とする重要度判定方法。
【請求項７】
取得手段と、変換手段と、検索手段と、判定手段と、送信手段と、更新手段とを備え、ユーザが送受信するデータの重要度を判定する重要度判定方法をコンピュータに実行させるためのプログラムであって、
前記取得手段が、通信路を流れるデータを取得する第１のステップと、
前記変換手段が、データを前処理により重要度の判定ができるように変換する第２のステップと、
検索手段が、予め属性値が演算され、属性ごとに階層化したデータと参照カウンタとを要素とするツリー状のデータと該受信したデータの属性を比較し、判定に必要なパラメータを検索する第３のステップと、
前記判定手段が、各サービスごとに、一定期間保存されたデータに基づいてデータの重要度を判定する第４のステップと、
前記送信手段が、該判定結果をユーザに送信する第５のステップと、
前記更新手段が、前記変換されたデータを保存し、データを更新する第６のステップと、
を備え、
前記第４のステップの判定処理は、ｋ−匿名性、ｌ−多様性判定処理からなり、
前記ツリー状のデータが、ａ）入力データの１レコード中のｎｏｎ−ｓｅｎｓｉｔｉｖｅデータ（キー）のリストと、ｂ）入力データの１レコード中のｓｅｎｓｉｔｉｖｅデータを属性毎にそれぞれ格納するツリーのリストと、ｃ）入力データの１レコードを属性毎にそれぞれ格納するツリーのリストと、で構成され、ａ）およびｂ）のリストは、追加されたｑ＊（レコードの集まりのうち、ｎｏｎ−ｓｅｎｓｉｔｉｖｅデータの数が同一のグループ）のｋ（ｋ−匿名性の値）および最小のｋ、ｌ（ｌ−多様性の値）、（ｃ、ｌ）−Ｄｉｖｅｒｓｉｔｙ（ｃ；ｒ１〜ｒｍのうち、一番大きな値と他の値の合計値との比率）のｒ１〜ｒｍ（各グループについて、ｓｅｎｓｉｔｉｖｅデータが同一である個数）の情報を保持し、ｃ）のリストは、評価ポイントのＮ（全レコード数）、ｎｊ（ある属性のレコード数）の情報を保持するとともに、同じデータ（キー）に対しては参照カウンタの増減により追加および削除を行い、さらに、要素数カウンタを有し、要素の増減に同期して要素数カウンタの増減も行い、前記第４のステップにおいて、判定の際に、前記属性値と同一の属性を発見するために、前記ツリー状のデータを用いることを特徴とするプログラム。
【発明の詳細な説明】
【技術分野】
【０００１】
本発明は、ネットワーク上を流れるデータの重要度を自動的に判別し、適切な保護をユーザに要求する重要度判定装置、重要度判定方法およびプログラムに関し、高速処理を実現する重要度判定装置、重要度判定方法およびプログラムに関する。
【背景技術】
【０００２】
今日、インターネットなどのネットワークを介して重要なデータをやり取りする場面が増えてきている。特に、利用者の趣味嗜好などを考慮してサービスを提供するようなサイトにおいては、ユーザの個人情報・プライバシ情報を提供することもあり、情報漏洩によるプライバシ侵害が懸念される。また、位置情報サービスなどにおいても同様の脅威がある（例えば、非特許文献１参照。）。
【先行技術文献】
【非特許文献】
【０００３】
【非特許文献１】ＲＦＣ２６１６  Ｈｙｐｅｒｔｅｘｔ  Ｔｒａｎｓｆｅｒ  Ｐｒｏｔｏｃｏｌ  ――  ＨＴＴＰ／１．１
【発明の概要】
【発明が解決しようとする課題】
【０００４】
しかしながら、従来は、データの重要度を判定することはなく、データの送受信を行っており、利用者が客観的に自身が送信するデータの重要度を高速に判定することができなかったという問題がある。
【０００５】
そこで、本発明は、上述の課題に鑑みてなされたものであり、ネットワーク上を流れるデータの重要度を自動的かつ高速に判別し、適切な保護をユーザに要求する重要度判定装置、重要度判定方法およびプログラムを提供することを目的とする。
【課題を解決するための手段】
【０００６】
本発明は、上記の課題を解決するために、以下の事項を提案している。なお、理解を容易にするために、本発明の実施形態に対応する符号を付して説明するが、これに限定されるものではない。
【０００７】
（１）本発明は、ユーザが送受信するデータの重要度を判定する重要度判定装置であって、データを送受信する自己のクライアントモジュール（例えば、図１のクライアントモジュール１０１に相当）とデータを送受信する他のクライアントモジュール（例えば、図１のクライアントモジュール１０２〜１０５に相当）からデータ重要度を判定するためのデータを受信する受信手段（例えば、図２のデータ読込処理部２０２、通信モジュールドライバ２０４に相当）と、該受信したデータをサービスごとに分類する分類手段（例えば、図２のデータ事前処理部２１２に相当）と、該分類したデータについて、その重要度を判定できるように加工する加工手段（例えば、図２のデータ事前処理部２１２に相当）と、該加工したデータをリングバッファに保存する保存手段（例えば、図２の記憶部２０１Ａに相当）と、各サービスごとに、一定期間保存されたデータに基づいてデータの重要度を判定する判定手段（例えば、図２のデータ特徴量抽出処理部２１０に相当）と、前記加工したデータを前記保存手段に保存して、データの更新を行う保存データ更新手段（例えば、図２の制御部２０１に相当）と、を備えたことを特徴とする重要度判定装置を提案している。
【０００８】
この発明によれば、受信手段は、データを送受信する自己のクライアントモジュールとデータを送受信する他のクライアントモジュールからデータの重要度を判定するためのデータを受信する。分類手段は、受信したデータをサービスごとに分類する。加工手段は、分類したデータについて、その重要度を判定できるように加工する。保存手段は、加工したデータをリングバッファに保存する。判定手段は、各サービスごとに、一定期間保存されたデータに基づいてデータの重要度を判定する。保存データ更新手段は、加工したデータを前記保存手段に保存して、データの更新を行う。したがって、ネットワーク上を流れる他のユーザのデータを利用して、簡易な構成でデータの重要度を自動的かつ高速に判別することができる。
【０００９】
（２）本発明は、ユーザが送受信するデータの重要度を判定する重要度判定装置であって、データを送受信する自己のクライアントモジュール（例えば、図１のクライアントモジュール１０１に相当）とデータを送受信する他のクライアントモジュール（例えば、図１のクライアントモジュール１０２〜１０５に相当）からデータ重要度を判定するためのデータを受信する受信手段と、該受信したデータをサービスごとに分類する分類手段（例えば、図５のデータ事前処理部２１２に相当）と、該分類したデータについて、その重要度を判定できるように加工する加工手段（例えば、図５のデータ事前処理部２１２に相当）と、該加工したデータを属性ごとに階層化したデータ構造で保存する保存手段（例えば、図５の記憶部３０１Ａに相当）と、前記保存手段に保存するデータについて、予め必要な属性値を演算する演算手段（例えば、図５の演算部３０１Ｂに相当）と、各サービスごとに、一定期間保存されたデータに基づいてデータの重要度を判定する判定手段（例えば、図５のデータ特徴量抽出処理部２１０に相当）と、前記加工したデータを前記保存手段に保存して、データの更新を行う保存データ更新手段（例えば、図５の制御部３０１に相当）と、を備えたことを特徴とする重要度判定装置を提案している。
【００１０】
この発明によれば、受信手段は、データを送受信する自己のクライアントモジュールとデータを送受信する他のクライアントモジュールからデータの重要度を判定するためのデータを受信する。分類手段は、受信したデータをサービスごとに分類する。加工手段は、分類したデータについて、その重要度を判定できるように加工する。保存手段は、加工したデータを属性ごとに階層化したデータ構造で保存する。演算手段は、保存手段に保存するデータについて、予め必要な属性値を演算する。判定手段は、各サービスごとに、一定期間保存されたデータに基づいてデータの重要度を判定する。保存データ更新手段は、加工したデータを前記保存手段に保存して、データの更新を行う。したがって、ネットワーク上を流れる他のユーザのデータを利用して、簡易な構成でデータの重要度を自動的に判別することができる。また、加工したデータを属性ごとに階層化したデータ構造で保存するとともに、保存するデータについて、予め必要な属性値を演算してあるため、判定処理を高速に行うことができる。
【００１１】
（３）本発明は、（１）の重要度判定装置について、前記保存手段（例えば、図７の記憶部４０１Ａに相当）が、前記加工したデータを属性ごとに階層化したデータ構造で前記リングバッファに保存し、前記保存手段に保存するデータについて、予め必要な属性値を演算する演算手段（例えば、図７の演算部４０１Ｂに相当）を備えたことを特徴とする重要度判定装置を提案している。
【００１２】
この発明によれば、保存手段が、加工したデータを属性ごとに階層化したデータ構造でリングバッファに保存し、演算手段が、保存手段に保存するデータについて、予め必要な属性値を演算する。したがって、加工したデータを属性ごとに階層化したデータ構造でリングバッファに保存するとともに、保存するデータについて、予め必要な属性値を演算してあるため、判定処理を高速に行うことができる。
【００１３】
（４）本発明は、（１）から（３）の重要度判定装置について、前記加工手段が一方向性関数を用いて、データの加工を行うことを特徴とする重要度判定装置を提案している。
【００１４】
この発明によれば、加工手段が一方向性関数を用いて、データの加工を行う。したがって、一方向性関数を用いることにより、情報の漏えいを防止することができる。
【００１５】
（５）本発明は、（１）から（３）の重要度判定装置について、前記判定手段が、匿名性を評価することによりデータの重要度を判定することを特徴とする重要度判定装置を提案している。
【００１６】
この発明によれば、判定手段が、匿名性を評価することによりデータの重要度を判定する。したがって、たとえば、ｋ−匿名性やｌ−多様性を評価することにより、情報の重要度を自動的に判別することができる。
【００１７】
（６）本発明は、（１）から（３）の重要度判定装置について、前記判定手段が、データ内の属性の種類に関する評価値によりデータの重要度を判定することを特徴とする重要度判定装置を提案している。
【００１８】
この発明によれば、判定手段が、データ内の属性の種類に関する評価値によりデータの重要度を判定する。したがって、評価値を、評価値＝｛（重み付け値）×（自己のデータを含む属性値の数−自己のデータを含まない属性値の数）｝の数式で算出することにより、属性値の変化を定量化して、データの重要度を自動的に判別することができる。
【００１９】
（７）本発明は、（１）から（３）の重要度判定装置について、前記判定手段が、データ量の差分に関する評価値によりデータの重要度を判定することを特徴とする重要度判定装置を提案している。
【００２０】
この発明によれば、判定手段が、データ量の差分に関する評価値によりデータの重要度を判定する。したがって、評価値を、評価値＝｛（重み付け値）×（データの総数）／（自己のデータを含む同じ属性を持つデータの数）｝の数式で算出することにより、データの重要度を自動的に判別することができる。
【００２１】
（８）本発明は、ユーザが送受信するデータの重要度を判定する重要度判定方法であって、通信路を流れるデータを取得する第１のステップ（例えば、図４のステップＳ１０１に相当）と、データを前処理により重要度の判定ができるように変換する第２のステップ（例えば、図４のステップＳ１０２に相当）と、各サービスごとに、一定期間保存されたデータに基づいてデータの重要度を判定する第３のステップ（例えば、図４のステップＳ１０３に相当）と、該判定結果をユーザに送信する第４のステップ（例えば、図４のステップＳ１０４に相当）と、前記変換されたデータをリングバッファに保存し、データを更新する第５のステップ（例えば、図４のステップＳ１０５に相当）と、を備えたことを特徴とする重要度判定方法を提案している。
【００２２】
この発明によれば、通信路を流れるデータを取得し、データを前処理により重要度の判定ができるように変換する。次に、各サービスごとに、一定期間保存されたデータに基づいてデータの重要度を判定し、判定結果をユーザに送信する。そして、変換されたデータをリングバッファに保存し、データを更新する。したがって、ネットワーク上を流れる他のユーザのデータを利用して、簡易な構成でデータの重要度を自動的かつ高速に判別することができる。
【００２３】
（９）本発明は、ユーザが送受信するデータの重要度を判定する重要度判定方法であって、通信路を流れるデータを取得する第１のステップ（例えば、図６のステップＳ２０１に相当）と、データを前処理により重要度の判定ができるように変換する第２のステップ（例えば、図６のステップＳ２０２に相当）と、予め属性値が演算され、属性ごとに階層的の構成されたデータ群と該受信したデータの属性を比較し、判定に必要なパラメータを検索する第３のステップ（例えば、図６のステップＳ２０３に相当）と、各サービスごとに、一定期間保存されたデータに基づいてデータの重要度を判定する第４のステップ（例えば、図６のステップＳ２０４に相当）と、該判定結果をユーザに送信する第５のステップ（例えば、図６のステップＳ２０５に相当）と、前記変換されたデータを保存し、データを更新する第６のステップ（例えば、図６のステップＳ２０６に相当）と、を備えたことを特徴とする重要度判定方法を提案している。
【００２４】
この発明によれば、通信路を流れるデータを取得し、データを前処理により重要度の判定ができるように変換する。次に、予め属性値が演算され、属性ごとに階層的の構成されたデータ群と該受信したデータの属性を比較し、判定に必要なパラメータを検索し、各サービスごとに、一定期間保存されたデータに基づいてデータの重要度を判定する。そして、判定結果をユーザに送信し、変換されたデータを保存し、データを更新する。したがって、ネットワーク上を流れる他のユーザのデータを利用して、簡易な構成でデータの重要度を自動的に判別することができる。また、加工したデータを属性ごとに階層化したデータ構造で保存するとともに、保存するデータについて、予め必要な属性値を演算してあるため、判定処理を高速に行うことができる。
【００２５】
（１０）本発明は、ユーザが送受信するデータの重要度を判定する重要度判定方法であって、通信路を流れるデータを取得する第１のステップ（例えば、図８のステップＳ３０１に相当）と、データを前処理により重要度の判定ができるように変換する第２のステップ（例えば、図８のステップＳ３０２に相当）と、予め属性値が演算され、属性ごとに階層的の構成されたデータ群と該受信したデータの属性を比較し、判定に必要なパラメータを検索する第３のステップ（例えば、図８のステップＳ３０３に相当）と、各サービスごとに、一定期間保存されたデータに基づいてデータの重要度を判定する第４のステップ（例えば、図８のステップＳ３０４に相当）と、該判定結果をユーザに送信する第５のステップ（例えば、図８のステップＳ３０５に相当）と、前記変換されたデータをリングバッファに保存し、データを更新する第６のステップ（例えば、図８のステップＳ３０６に相当）と、を備えたことを特徴とする重要度判定方法を提案している。
【００２６】
この発明によれば、通信路を流れるデータを取得し、データを前処理により重要度の判定ができるように変換する。次に、予め属性値が演算され、属性ごとに階層的の構成されたデータ群と該受信したデータの属性を比較し、判定に必要なパラメータを検索し、各サービスごとに、一定期間保存されたデータに基づいてデータの重要度を判定する。そして、判定結果をユーザに送信して、変換されたデータをリングバッファに保存し、データを更新する。したがって、加工したデータを属性ごとに階層化したデータ構造でリングバッファに保存するとともに、保存するデータについて、予め必要な属性値を演算してあるため、判定処理を高速に行うことができる。
【００２７】
（１１）本発明は、ユーザが送受信するデータの重要度を判定する重要度判定方法をコンピュータに実行させるためのプログラムであって、通信路を流れるデータを取得する第１のステップ（例えば、図４のステップＳ１０１に相当）と、データを前処理により重要度の判定ができるように変換する第２のステップ（例えば、図４のステップＳ１０２に相当）と、各サービスごとに、一定期間保存されたデータに基づいてデータの重要度を判定する第３のステップ（例えば、図４のステップＳ１０３に相当）と、該判定結果をユーザに送信する第４のステップ（例えば、図４のステップＳ１０４に相当）と、前記変換されたデータをリングバッファに保存し、データを更新する第５のステップ（例えば、図４のステップＳ１０５に相当）と、をコンピュータに実行させるためのプログラムを提案している。
【００２８】
この発明によれば、通信路を流れるデータを取得し、データを前処理により重要度の判定ができるように変換する。次に、各サービスごとに、一定期間保存されたデータに基づいてデータの重要度を判定し、判定結果をユーザに送信する。そして、変換されたデータをリングバッファに保存し、データを更新する。したがって、ネットワーク上を流れる他のユーザのデータを利用して、簡易な構成でデータの重要度を自動的かつ高速に判別することができる。
【００２９】
（１２）本発明は、ユーザが送受信するデータの重要度を判定する重要度判定方法をコンピュータに実行させるためのプログラムであって、通信路を流れるデータを取得する第１のステップ（例えば、図６のステップＳ２０１に相当）と、データを前処理により重要度の判定ができるように変換する第２のステップ（例えば、図６のステップＳ２０２に相当）と、予め属性値が演算され、属性ごとに階層的の構成されたデータ群と該受信したデータの属性を比較し、判定に必要なパラメータを検索する第３のステップ（例えば、図６のステップＳ２０３に相当）と、各サービスごとに、一定期間保存されたデータに基づいてデータの重要度を判定する第４のステップ（例えば、図６のステップＳ２０４に相当）と、該判定結果をユーザに送信する第５のステップ（例えば、図６のステップＳ２０５に相当）と、前記変換されたデータを保存し、データを更新する第６のステップ（例えば、図６のステップＳ２０６に相当）と、をコンピュータに実行させるためのプログラムを提案している。
【００３０】
この発明によれば、通信路を流れるデータを取得し、データを前処理により重要度の判定ができるように変換する。次に、予め属性値が演算され、属性ごとに階層的の構成されたデータ群と該受信したデータの属性を比較し、判定に必要なパラメータを検索し、各サービスごとに、一定期間保存されたデータに基づいてデータの重要度を判定する。そして、判定結果をユーザに送信し、変換されたデータを保存し、データを更新する。したがって、ネットワーク上を流れる他のユーザのデータを利用して、簡易な構成でデータの重要度を自動的に判別することができる。また、加工したデータを属性ごとに階層化したデータ構造で保存するとともに、保存するデータについて、予め必要な属性値を演算してあるため、判定処理を高速に行うことができる。
【００３１】
（１３）本発明は、ユーザが送受信するデータの重要度を判定する重要度判定方法をコンピュータに実行させるためのプログラムであって、通信路を流れるデータを取得する第１のステップ（例えば、図８のステップＳ３０１に相当）と、データを前処理により重要度の判定ができるように変換する第２のステップ（例えば、図８のステップＳ３０２に相当）と、予め属性値が演算され、属性ごとに階層的の構成されたデータ群と該受信したデータの属性を比較し、判定に必要なパラメータを検索する第３のステップ（例えば、図８のステップＳ３０３に相当）と、各サービスごとに、一定期間保存されたデータに基づいてデータの重要度を判定する第４のステップ（例えば、図８のステップＳ３０４に相当）と、該判定結果をユーザに送信する第５のステップ（例えば、図８のステップＳ３０５に相当）と、前記変換されたデータをリングバッファに保存し、データを更新する第６のステップ（例えば、図８のステップＳ３０６に相当）と、をコンピュータに実行させるためのプログラムを提案している。
【００３２】
この発明によれば、通信路を流れるデータを取得し、データを前処理により重要度の判定ができるように変換する。次に、予め属性値が演算され、属性ごとに階層的の構成されたデータ群と該受信したデータの属性を比較し、判定に必要なパラメータを検索し、各サービスごとに、一定期間保存されたデータに基づいてデータの重要度を判定する。そして、判定結果をユーザに送信して、変換されたデータをリングバッファに保存し、データを更新する。したがって、加工したデータを属性ごとに階層化したデータ構造でリングバッファに保存するとともに、保存するデータについて、予め必要な属性値を演算してあるため、判定処理を高速に行うことができる。
【発明の効果】
【００３３】
本発明によれば、ネットワーク上を流れるデータの重要度を自動的かつ高速に判別し、適切な保護をユーザに要求することにより、プライバシ情報を可視化して、ユーザに注意を喚起することができるという効果がある。
【図面の簡単な説明】
【００３４】
【図１】本発明の第１の実施形態に係る重要度判定装置の概念図である。
【図２】本発明の第１の実施形態に係る重要度判定装置の構成を示す図である。
【図３】本発明の第１の実施形態に係る重要度判定装置におけるデータの抽象化に関する図である。
【図４】本発明の第１の実施形態に係る重要度判定装置の処理を示す図である。
【図５】本発明の第２の実施形態に係る重要度判定装置の構成を示す図である。
【図６】本発明の第２の実施形態に係る重要度判定装置の処理を示す図である。
【図７】本発明の第３の実施形態に係る重要度判定装置の構成を示す図である。
【図８】本発明の第３の実施形態に係る重要度判定装置の処理を示す図である。
【発明を実施するための形態】
【００３５】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３６】
＜第１の実施形態＞
図１から図４を用いて、本発明の第１の実施形態に係る重要度判定装置について説明する。本実施形態に係る重要度判定装置は、図１に示すように、クライアントモジュール１０１〜１０５とサービス提供サーバ３００との間に配置され、データを送受信するクライアントモジュール１０１とデータを送受信する他のクライアントモジュール１０２〜１０５からデータの重要度を判定するためのデータを受信して、ｋ−匿名性やｌ−多様性等の匿名性判定を行って、データを解析することにより、クライアントモジュール１０１からのデータの重要度を判別して、クライアントモジュール１０１に通知するものである。つまり、クライアントモジュール１０１は、データを収集し、解析する機能を有する。具体的には、データ収集機能を各ユーザの端末にインストールし、収集したデータをデータ解析機能に送付する。データ解析機能では、送られてきたデータをまとめて解析し、結果を各データ収集機能に返す。
【００３７】
＜重要度判定装置の構成＞
図２を用いて、本実施形態に係る重要度判定装置の構成について説明する。本実施形態に係る重要度判定装置は、図２に示すように、制御部２０１と、データ読込処理部２０２と、データ出力処理部２０３と、通信モジュールドライバ２０４と、データ圧縮処理部２０５と、データ特徴量抽出処理部２１０と、ｌ−多様性判定モジュール２１３と、ｋ−匿名性判定モジュール２１４と、木構造データ管理部２１６と、ユーザ設定パラメータ管理部２１７とから構成されている。また、データ特徴量抽出処理部２１０は、ｋ−匿名性、ｌ−多様性判定処理部２１１と、データ事前処理部２１２と、記憶部２０１Ａから構成されている。
【００３８】
制御部２０１は、予め格納された制御プログラムによって、重要度判定装置２００の全体を制御する。特に、通信モジュールドライバ２０４によりデータを送受信するクライアントモジュール１０１とデータを送受信する他のクライアントモジュール１０２〜１０５からデータの重要度を判定するためのデータを受信し、ｌ−多様性判定モジュール２１３やｋ−匿名性判定モジュール２１４に通信モジュールドライバ２０４が受信したデータを供給し、ｋ−匿名性やｌ−多様性等の匿名性判定を実行させ、データを解析することにより、クライアンモジュールト１０１からのデータの重要度を判別して、通信モジュールドライバ２０４によりクライアントモジュール１０１に通知させる。
【００３９】
データ読込処理部２０２は、通信モジュールドライバ２０４からネットワークを流れるデータを取得する。データ出力処理部２０３は、通信モジュールドライバ２０４を利用して判定結果を通知する。
【００４０】
データ事前処理部２１２は、受信したデータをサービスごとに分類し、分類したデータについて、その重要度を判定できるように加工する。
【００４１】
ｌ−多様性判定モジュール２１３は、入力されたデータセットがｌ−多様性を満たすかどうか判定し、満たす場合はデータを匿名データセット出力に受け渡す。なお、ｌ−多様性の判定処理は独立したモジュールとし、他の評価基準も追加可能とする。また、ｌ＝１に設定された場合には、ｌ−多様性の判定処理をスキップすることで無駄な処理を行わないようにする。ｌ−多様性は、ｓｅｎｓｉｔｉｖｅ  ａｔｔｒｉｂｕｔｅに対して実行する。
【００４２】
ｋ−匿名性判定モジュール２１４は、入力されたデータセットがｋ−匿名性を満たすかどうか判定し、満たす場合はデータを匿名データセット出力に受け渡す。なお、ｋ−匿名性の判定処理は独立したモジュールとし、他の評価基準も追加可能とする。また、ｋ−匿名性の判定は、個別の属性及び準識別子全体に対して実行する。
【００４３】
具体的には、ユーザ設定パラメータ管理部２１７に格納されたパラメータにしたがって、公開情報を利用する利用者の要求条件を考慮して、データの各属性ごとに優先順位（重み付け）を設定する。具体的には、各属性の重み付けは、利用者の入力により行われる。重み付けは、属性の優先順位を表わし、利用者が最も重視する属性を最上位とする。また、加工処理においては、優先順位が最下位の属性から順に加工処理を行い、ｋ−匿名性を満たした段階で終了する。したがって、最上位の属性ほど元の情報が保持される確率が高くなる。また、これにより、直接的には、ユーザとの関連性の低い複数の情報を組合せることによりユーザを特定することも防止することにより、データ利用者が求める情報を可能な限り保持することができる。利用者は、ＧＵＩ（Ｇｒａｐｈｉｃａｌ Ｕｓｅｒ Ｉｎｔｅｒｆａｃｅ）等を利用して各属性に対して優先順位を入力する。利用者は、各優先順位に対して、重み付けポイント（数値）を設定する。この値は、加工処理を行う属性を選択する際に使用する。
【００４４】
つまり、設定された優先順位（重み付け）に基づいて、各データの評価ポイントを算出する。具体的には、評価ポイントは、以下の数式を用いて、算出される。
評価ポイント＝（属性値の数）＊（重み付けポイント）
ここで、（属性値の数）とは、その属性が持つ属性値の種類の数を表す。ボトムアップ処理においては、一般化によって、この評価ポイントの減少が最小になる属性を一般化を行う属性として選択する。また、トップダウン処理においては、この値の増加が最大になる属性を一般化を行う属性として選択する。
【００４５】
ｋ−匿名性、ｌ−多様性判定処理部２１１は、それぞれの属性単体を単体でｋ−匿名性を満たすように一般化する。また、属性によってユーザが一般化の限界レベルを設定しているものについては、それを超えて一般化はしない。さらに、生成したデータがｋ−匿名性を満たさなければ、各属性を１レベルだけ一般化して再度チェックを行う。この場合も、ユーザが設定した限界レベルを超えて一般化はせず、他の属性を一般化することで、ｋ−匿名性を達成する。
【００４６】
一般化に用いられるトップダウン処理は、算出した評価ポイントの増加分が最大となるようなデータ加工方法により、データの加工を行う。また、ボトムアップ処理は、算出した評価ポイントの減少分が最小となるようなデータ加工方法により、データの加工を行う。
【００４７】
木構造データ管理部２１６は、事前入力された木構造データを変換し、ソフトウェアが利用可能な形式で格納する。また、属性が数値データではない場合、属性値の持つ意味の包含関係によって構築された木構造が上位ノード探索のために必要である。例えば、図３にように、Ｃｏｕｎｔｒｙ、Ｓｔａｔｅ、Ｃｉｔｙ、・・・といった属性値の上下関係によって構成された階層構造を事前に作成しておく必要がある。したがって、各属性に対してこのような木構造データをユーザが設定可能とする。数値データに関しては、一定の値ごとに階層化するため、木構造データは必ずしも必要ではない。なお、木構造データの構成に関して既存のソフトウェアが使用できる場合は、使用しても良い。また、木構造データは各レベルのノード数を情報として含む。木構造データ管理部２１６は、図３に示すような木構造データを管理する。
【００４８】
ユーザ設定パラメータ管理部２１７は、管理者が設定情報として入力した各パラメータやファイルを一括管理する。データ圧縮処理部２０５は、一定期間の通信路を流れたデータを格納し保管するとともに、データの圧縮を定期的に行う。具体的には、一定期間経過したデータについては、複数のデータをマージしてもっとも特徴的な特徴量のみを残して圧縮する。これにより、圧縮して格納することにデータサイズを削減し、保存するデータのサイズが有限長になるようにする。
【００４９】
また、記憶部２０１Ａは、制御部２０１の制御に基づいて、データをある時間間隔ごとに分割して格納する。格納には、リングバッファを用いる。データの追加および削除は、ＦＩＦＯ（Ｆｉｒｓｔ  Ｉｎ  Ｆｉｒｓｔ  Ｏｕｔ）であり、これにより、データの追加および削除が高速に行えるリングバッファを用いることで処理時間を短縮できる。データは、リングバッファが一杯になるまで格納され、その後は、新しいデータが追加されるごとに、一番古いデータが削除される。
【００５０】
＜重要度判定装置の処理＞
図４を用いて、本実施形態に係る重要度判定装置の処理について説明する。
まず、事前処理として、不要データの削除、データの抽象化、データの圧縮を行う。
【００５１】
受信したデータは、サービスごとにグループ化して処理される。したがって、以下の処理は、グループごとの処理となる。まず、判定に使用しない不要データ部分を削除する。例えば、プログラムが参照しないフィールドなどを削減する。また、設定により秘匿度の高いデータと定義されたデータについては、置き換えを行う。この場合に置き換えにはハッシュ関数の出力値を使用する。
【００５２】
次に、設定に従ってデータを抽象化する。数値データについては、末尾の桁から順に削除するなどしてデータを変換する。属性が数値データではない場合、属性値の持つ意味の包含関係によって構築された木構造が上位ノード探索のために必要である、例えば、図３のように、Ｃｏｕｎｔｒｙ、Ｓｔａｔｅ、Ｃｉｔｙ、・・・といった属性値の上下関係によって構成された階層構造を事前に作成しておく必要がある。従って、各属性に対してこのような木構造データをユーザが設定可能とする。そして、この木構造に従ってデータを抽象化する。数値データに関しては一定の値ごとに階層化するため、木構造データは必ずしも必要ではない。なお、木構造データの構成に関して既存のソフトウェアが使用できる場合は、使用しても良い。また、木構造データは各レベルのノード数を情報として含む。
【００５３】
さらに、データを辞書データを用いて圧縮する。まず、格納されているデータの中から頻出度の高いデータを抽出する。そして、そのデータをある記号列で置き換えることにより圧縮する。圧縮したデータ、記号列は、辞書データに登録し、新たなデータがそのデータを含む場合、記号列で置き換えるようにする。本機能は、独立したモジュールとしバッチ処理により定期的に辞書データをメンテナンスし、可能な限り圧縮度の高いデータとする。
【００５４】
また、データはある時間間隔ごとに分割して格納される。そして、格納には、リングバッファを用いられ、データの追加および削除は、ＦＩＦＯ（Ｆｉｒｓｔ  Ｉｎ  Ｆｉｒｓｔ  Ｏｕｔ）である。データは、リングバッファが一杯になるまで格納され、その後は、新しいデータが追加されるごとに、一番古いデータが削除される。
【００５５】
本実施形態に係る重要度判定装置は、通信路を流れるデータを取得し（ステップＳ１０１）、データを前処理により重要度の判定ができるように変換する（ステップＳ１０２）。
【００５６】
そして、各サービスごとに、一定期間保存されたデータに基づいてデータの重要度を判定し（ステップＳ１０３）、判定結果をユーザに送信する（ステップＳ１０４）。さらに、変換されたデータをリングバッファに保存し、データを更新する（ステップＳ１０５）。
【００５７】
以上、説明したように、本実施形態によれば、ネットワーク上を流れる他のユーザのデータを利用して、簡易な構成でデータの重要度を自動的かつ高速に判別することができる。
【００５８】
＜第２の実施形態＞
図５および図６を用いて、本発明の第２の実施形態に係る重要度判定装置について説明する。
【００５９】
＜重要度判定装置の構成＞
図５を用いて、本実施形態に係る重要度判定装置の構成について説明する。本実施形態に係る重要度判定装置は、図５に示すように、制御部３０１と、データ読込処理部２０２と、データ出力処理部２０３と、通信モジュールドライバ２０４と、データ圧縮処理部２０５と、データ特徴量抽出処理部２１０と、ｌ−多様性判定モジュール２１３と、ｋ−匿名性判定モジュール２１４と、木構造データ管理部２１６と、ユーザ設定パラメータ管理部２１７とから構成されている。また、データ特徴量抽出処理部２１０は、ｋ−匿名性、ｌ−多様性判定処理部３１１と、データ事前処理部３１２と、記憶部３０１Ａと、演算部３０１Ｂとから構成されている。なお、第１の実施形態と同一の符号を付す構成要素は、同様の機能を有するものであるから、その詳細な説明は省略する。
【００６０】
記憶部３０１Ａは、「データ」と「参照カウンタ」を要素とするツリー状のデータ（例えば、Ｒｅｄ  Ｂｌａｃｋ  Ｔｒｅｅ）であり、同じデータ（キー）に対しては参照カウンタの増減により追加および削除を行い、データ（キー）の重複がないようにする。また、ツリーは「要素数カウンタ」を持ち、要素の増減に同期して要素数カウンタの増減も行う。さらに、最後に追加された要素への参照を保持する。
【００６１】
また、ツリー状データは、
ａ）入力データの１レコード中のｎｏｎ−ｓｅｎｓｉｔｉｖｅデータ（キー）
ｂ）入力データの１レコード中のｓｅｎｓｉｔｉｖｅデータを属性毎にそれぞれ格納するツリーのリスト
ｃ）入力データの１レコードを属性毎にそれぞれ格納するツリーのリスト
で構成され、ａ）およびｂ）のリストは、追加されたｑ＊（レコードの集まりのうち、ｎｏｎ−ｓｅｎｓｉｔｉｖｅデータの数が同一のグループ）のｋ（ｋ−匿名性の値）および最小のｋ、ｌ（ｌ−多様性の値）、（ｃ、ｌ）−Ｄｉｖｅｒｓｉｔｙ（ｃ；ｒ１〜ｒｍのうち、一番大きな値と他の値の合計値との比率）のｒ１〜ｒｍ（各グループについて、ｓｅｎｓｉｔｉｖｅデータが同一である個数）の情報を保持している。ｃ）のリストは、評価ポイントのＮ（全レコード数）、ｎｊ（ある属性のレコード数）の情報を保持している。
【００６２】
制御部３０１は、演算部３０１Ｂにおいて予め属性値が演算され、属性ごとに階層的に構成された記憶部２０１Ｂに記憶されたデータ群と該受信したデータの属性を比較し、判定に必要なパラメータを検索する。
【００６３】
ｋ−匿名性、ｌ−多様性判定処理部３１１は、判定の際に、当該属性値と同一の属性を高速に発見するために、Ｒｅｄ−Ｂｌａｃｋ  Ｔｒｅｅを用いる。このことにより探索コストは属性値の総数Ｎに対して（Ｌｏｇ（Ｎ））に短縮できる。さらに、Ｒｅｄ−Ｂｌａｃｋ  Ｔｒｅｅには、現在の「同じ属性値を持つデータの総数」など、評価ポイント算出に必要なデータが格納されている。この値を用いることで処理を高速化する。データ事前処理部３１２は、記憶部２０１Ｂに保存するデータについて、予め必要な属性値を演算する。
【００６４】
＜重要度判定装置の処理＞
まず、通信路を流れるデータを取得し（ステップＳ２０１）、データを前処理により重要度の判定ができるように変換する（ステップＳ２０２）。
【００６５】
そして、予め属性値が演算され、属性ごとに階層的に構成されたデータ群と該受信したデータの属性を比較し、判定に必要なパラメータを検索して（ステップＳ２０３）、各サービスごとに、一定期間保存されたデータに基づいてデータの重要度を判定する（ステップＳ２０４）。さらに、判定結果をユーザに送信し（ステップＳ２０５）、変換されたデータを保存し、データを更新する（ステップＳ２０６）。
【００６６】
以上、説明したように、本実施形態によれば、ネットワーク上を流れる他のユーザのデータを利用して、簡易な構成でデータの重要度を自動的に判別することができる。また、加工したデータを属性ごとに階層化したデータ構造で保存するとともに、保存するデータについて、予め必要な属性値を演算してあるため、判定処理を高速に行うことができる。
【００６７】
＜第３の実施形態＞
図７から図８を用いて、本発明の第３の実施形態に係る重要度判定装置について説明する。本実施形態に係る重要度判定装置は、図７に示すように、制御部４０１と、データ読込処理部２０２と、データ出力処理部２０３と、通信モジュールドライバ２０４と、データ圧縮処理部２０５と、データ特徴量抽出処理部２１０と、ｌ−多様性判定モジュール２１３と、ｋ−匿名性判定モジュール２１４と、木構造データ管理部２１６と、ユーザ設定パラメータ管理部２１７とから構成されている。また、データ特徴量抽出処理部２１０は、ｋ−匿名性、ｌ−多様性判定処理部３１１と、データ事前処理部３１２と、記憶部４０１Ａと、演算部４０１Ｂとから構成されている。なお、第１の実施形態と同一の符号を付す構成要素は、同様の機能を有するものであるから、その詳細な説明は省略する。
【００６８】
記憶部４０１Ａは、制御部４０１の制御に基づいて、データをある時間間隔ごとに分割して格納する。格納には、リングバッファを用いる。データの追加および削除は、ＦＩＦＯ（Ｆｉｒｓｔ  Ｉｎ  Ｆｉｒｓｔ  Ｏｕｔ）であり、これにより、データの追加および削除が高速に行えるリングバッファを用いることで処理時間を短縮できる。データは、リングバッファが一杯になるまで格納され、その後は、新しいデータが追加されるごとに、一番古いデータが削除される。
【００６９】
また、記憶部４０１Ａは、「データ」と「参照カウンタ」を要素とするツリー状のデータ（例えば、Ｒｅｄ  Ｂｌａｃｋ  Ｔｒｅｅ）であり、同じデータ（キー）に対しては参照カウンタの増減により追加および削除を行い、データ（キー）の重複がないようにする。また、ツリーは「要素数カウンタ」を持ち、要素の増減に同期して要素数カウンタの増減も行う。さらに、最後に追加された要素への参照を保持する。
【００７０】
また、ツリー状データは、
ａ）入力データの１レコード中のｎｏｎ−ｓｅｎｓｉｔｉｖｅデータ（キー）
ｂ）入力データの１レコード中のｓｅｎｓｉｔｉｖｅデータを属性毎にそれぞれ格納するツリーのリスト
ｃ）入力データの１レコードを属性毎にそれぞれ格納するツリーのリスト
で構成され、ａ）およびｂ）のリストは、追加されたｑ＊（レコードの集まりのうち、ｎｏｎ−ｓｅｎｓｉｔｉｖｅデータの数が同一のグループ）のｋ（ｋ−匿名性の値）および最小のｋ、ｌ（ｌ−多様性の値）、（ｃ、ｌ）−Ｄｉｖｅｒｓｉｔｙ（ｃ；ｒ１〜ｒｍのうち、一番大きな値と他の値の合計値との比率）のｒ１〜ｒｍ（各グループについて、ｓｅｎｓｉｔｉｖｅデータが同一である個数）の情報を保持している。ｃ）のリストは、評価ポイントのＮ（全レコード数）、ｎｊ（ある属性のレコード数）の情報を保持している。
【００７１】
制御部４０１は、演算部４０１Ｂにおいて予め属性値が演算され、属性ごとに階層的に構成された記憶部２０１Ｂに記憶されたデータ群と該受信したデータの属性を比較し、判定に必要なパラメータを検索する。
【００７２】
＜重要度判定装置の処理＞
まず、通信路を流れるデータを取得し（ステップＳ３０１）、データを前記前処理により重要度の判定ができるように変換する（ステップＳ３０２）。
【００７３】
そして、予め属性値が演算され、属性ごとに階層的の構成されたデータ群と該受信したデータの属性を比較し、判定に必要なパラメータを検索し（ステップＳ３０３）、各サービスごとに、一定期間保存されたデータに基づいてデータの重要度を判定する（ステップＳ３０４）。さらに、判定結果をユーザに送信し（ステップＳ３０５）、変換されたデータをリングバッファに保存し、データを更新する（ステップＳ３０６）。
【００７４】
以上、説明したように、本実施形態によれば、ネットワーク上を流れるユーザのデータを利用して、簡易な構成でデータの重要度を自動的に判別することができる。
【００７５】
なお、重要度判定装置の処理をコンピュータ読み取り可能な記録媒体に記録し、この記録媒体に記録されたプログラムを重要度判定装置に読み込ませ、実行することによって本発明の重要度判定装置を実現することができる。ここでいうコンピュータシステムとは、ＯＳや周辺装置等のハードウェアを含む。
【００７６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００７７】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００７８】
以上、この発明の実施形態につき、図面を参照して詳述してきたが、具体的な構成はこの実施形態に限られるものではなく、この発明の要旨を逸脱しない範囲の設計等も含まれる。例えば、本発明の実施形態においては、重要度判定装置をクライアントモジュールとサービス提供サーバの間に配置する例について説明したが、これに限らず、重要度判定装置をクライアントモジュールに内蔵させた構成でもよい。
【符号の説明】
【００７９】
１０１；クアントモジュール
１０２；クアントモジュール
１０３；クアントモジュール
１０４；クアントモジュール
１０５；クアントモジュール
２００；重要度判定装置
２０１、３０１、４０１；制御部
２０１Ａ、３０１Ａ、４０１Ａ；記憶部
２０２；データ読込処理部
２０３；データ出力処理部
２０４；通信モジュールドライバ
２０５；データ圧縮処理部
２１０；データ特徴量抽出処理部
２１１；ｋ−匿名性、ｌ−多様性判定処理部
２１２；データ事前処理部
２１３；ｌ−多様性判定モジュール
２１４；ｋ−匿名性判定モジュール
２１５；木構造データ管理部
２１６；ユーザ設定パラメータ管理部
３００；サービス提供サーバ
３０１；制御部
３０１Ａ；記憶部
３０１Ｂ；演算部
４０１；制御部
４０１Ａ；記憶部
４０１Ｂ；演算部
【図１】
0005649466.tif 000002
【図２】
0005649466.tif 000003
【図３】
0005649466.tif 000004
【図４】
0005649466.tif 000005
【図５】
0005649466.tif 000006
【図６】
0005649466.tif 000007
【図７】
0005649466.tif 000008
【図８】
0005649466.tif 000009